(57)【要約】【課題】組立式棚の全体形状に歪みが発生せず、組立工具を必要としないばかりでなく、それぞれの構成部材をユニット化できるため、使用目的に応じた構成を選択をできる有効性を維持しつつ、必要とする強度を保ち、かつ、家具としての美観も損なものとすることができるという組立式棚を提供する。【解決手段】横板１と縦板２とのそれぞれに形成された切込３と切込４とを相互に挿入して嵌合して全体構造を格子状のものとした組立式棚であって、横板１は、切込３の延長線上の板面に形成した溝５と、切込３の側面に形成した細長い凸状物６とを具備し、縦板２は、切込４の延長線上の板面に形成し、端部１２に到達する前に溝の形成されていない部分９を残して、途中まで形成した溝７と、切込４の側面に形成した細長い凸状物８とを具備し、かつ、細長い凸状物６、細長い凸状物８、溝５及び溝７は、それぞれ片側にのみ形成れていることを特徴とする組立式棚を構成するものである。【選択図】図７
0003107279.tif 000002
【実用新案登録請求の範囲】
【請求項１】
横板１と縦板２とのそれぞれに形成された横板１の切込３と縦板２の切込４とを相互に挿入して嵌合して全体構造を格子状のものとする組立式棚であって、横板１は、切込３の延長線上の板面に形成した溝５と、切込３の側面に形成した細長い凸状物６とを具備し、縦板２は、切込４の延長線上の板面に形成し、端部１２に到達する前に溝の形成されていない部分９を残して、途中まで形成した溝７と、切込４の側面に形成した細長い凸状物８とを具備し、かつ、細長い凸状物６２，８、溝５，７は、それぞれ片側にだけ形成れていることを特徴とする組立式棚。
【請求項２】
請求項１に記載された組立式棚において、細長い凸状物６，８のそれぞれは、傾斜部１０，１１を設け、その長さをその前後に空間を設けたことを特徴とする組立式棚。
【考案の詳細な説明】
【技術分野】
【０００１】
本考案は、組立式棚に係り、特に縦板と横板とを相互に嵌合して、格子状に組み付けることによって構成する組立式棚に関する。
【背景技術】
【０００２】
組立式棚長の従来技術としては、特開昭５８−１２４４０５号公報、実開昭５８−１３７３４４号公報等に記載されたものがある。その全体構造を図８に、組立過程の状態を図９に示す。１０１は横板、１０２は縦板である。それぞれ板には、切込が形成されている。１０３は横板に形成された切込であり、その幅は、縦板１０２に嵌合させるべくその厚より若干大きな寸法とし、その奥行きは、横板１０２幅の２分の１とする。１０４は縦板に形成された切込であり、その幅は、横板１０１に嵌合させるべくその厚より若干大きな寸法とし、その奥行きは、縦板１０２の幅の２分の１とする。そして、これらの複数枚のそれぞれの横板と縦板とを図９に示すような状態で相互に挿入して嵌合して、図８に示すように、全体構造をした格子状の組立式棚の完成品とする。このような組立式棚は組立工具を必要としないばかりでなく、それぞれ構成部材をユニット化できるため、使用目的に応じた構成を選択をできるものとしては有効な組立式棚である。
【特許文献１】実開昭５８−１３７３４４号公報
【特許文献２】特開昭５８−１２４４０５号公報
【考案の開示】
【考案が解決しようとする課題】
【０００３】
前記した従来の構造の組立式棚は、横板１０１に作用する荷重について考察すると、次の問題が発生する。すなわち、横板１０１に作用する荷重の内、切込１０３のない部分に作用する荷重は、縦板１０２により直接的に支持されるが、切込１０３のある部分に作用する荷重は、これを直接的にする部分がないため、片持状態で支持することとなり、曲げモーメントとして作用する。この点については、縦板１０２についても同様である。通常、組立式棚は、比較的簡便な用途に使用されるため、それを構成する板は、合板、単板等の木材やプラスチックス等の剛性の大きくない材質のものが使用される。その結果、前記した部分に撓みが発生して、嵌合部が不十分となり、組立式棚の全体形状にも歪みが発生し、必要な強度を維持できないばかりでなく、家具としての美観も損なわれることとなるものであった。
【０００４】
本考案は、切込１０３のある部分に作用する荷重に対応できる構造とすることによって、組立式棚において、組立工具を必要としないばかりでなく、それぞれ構成部材をユニット化できるため、使用目的に応じた構成を選択をできる有効性を維持しつつ、必要とする強度を保ち、かつ、家具としての美観も損なものとすることができるという課題を解決しようとするものである。
【課題を解決するための手段】
【０００５】
請求項１の考案は、横板１と縦板２とのそれぞれに形成された切込３と切込４とを相互に挿入して嵌合して全体構造を格子状のものとした組立式棚であって、横板１は、切込３の延長線上の板面に形成した溝５と、切込３の側面に形成した細長い凸状物６とを具備したものとし、縦板２は、切込４の延長線上の板面に形成し、端部１２に到達する前に溝の形成されていない部分９を残して、途中まで形成した溝７と、切込４の側面に形成した細長い凸状物８とを具備したものとし、かつ、細長い凸状物６、細長い凸状物８、溝５及び溝７は、それぞれ片側にしか形成れていないものとしたことを特徴とする組立式棚に構成するものである。
【０００６】
請求項２の考案は、請求項１に記載された組立式棚において、細長い凸状物６及び細長い凸状物８のそれぞれは、傾斜部１０及び傾斜部１１が設けたものとすると共に、その長さをその前後に空間を設けるものとしたことを特徴とする組立式棚に構成するものである。
【考案の効果】
【０００７】
本考案は、（１）溝５と細長い凸状物８との嵌合、溝７と細長い凸状物６との嵌合により、切込３及び切込４のない部分に作用する荷重を受けて撓みの発生を防止し、組立式棚の全体形状にも歪みが発生するのを防止し、必要な強度を維持できる。
（２）縦板２に形成された溝７が、横板１に形成された溝５とは相違して、前端部１２に到達する前に溝の形成されていない部分９を残して、途中まで形成されているので、組立式棚の正面から見たときに溝７が形成されていることが見えず、美観を保つことができる。
（３）細長い凸状物６、細長い凸状物８、溝５及び溝７は、それぞれ片側にしか形成れていないので、溝５及び溝７を縦板１及び横２の両面に形成した場合と比較して、組立式棚全体として必要かつ十分な強度のものとすることができる。（４）細長い凸状物６及び細長い凸状物８のそれぞれには、傾斜部１０及び傾斜部１１が設けられているので、組み立てが進行して複数箇所を同時に嵌合をしなければならないような状態においても、組立作業が容易となる。
【考案を実施するための最良の形態】
【０００８】
以下、図面とともに本考案の実施形態について説明する。図１は、本考案の組立式棚を構成する横板の平面図、図２は、該横板の上面図、図３は、該横板の側面図、図４は、本考案の組立式棚を構成する縦板の平面図、図５は、該縦板の下面図、図６は、該縦板の側面図、図７は、横板及び縦板相互の挿入嵌合状態を示す図である。
【０００９】
図１、図２及び図３に示すように、本考案の組立式棚を構成する横板１には、従来例の横板１０１に形成されている切込１０３と同様の切込３が形成されている。該横板１には、それ以外に切込３の延長線上の板面に溝５を形成されると共に、切込３の側面に細長い凸状物６が形成されている。
【００１０】
切込３の幅は、縦板２に嵌合させるべく、その厚より若干大きな寸法とし、その奥行きは、横板１の幅の２分の１とする。細長い凸状物６の幅及び高さは、縦板２に設けた溝７に嵌合させるべく、その幅及び深さより若干小さい寸法とする。細長い凸状物６の幅及び長さは、その前後に空間を設ける。これは、後述するように、縦板２に形成された溝７が、前端部１２に到達する前に溝の形成されていない部分９を残して、途中までしか形成されていないので、これに対応した長さとしなければならないためであるばかりでなく、加工を容易にし、かつ、嵌合を容易にするためである。細長い凸状物６の端部には、嵌合を容易にするために傾斜部１０が形成されている。横板１の前部には、丸みをおびた部分１３を形成する。
【００１１】
図４、図５及び図６に示すように、本考案の組立式棚を構成する縦板２には、従来例の縦板２に形成されている切込１０４と同様の切込４が形成されている。該縦板２には、横板１と同様に溝７と細長い凸状物８が形成されている。該縦板２に形成された溝７は、前記横板１に形成された溝５とは相違して、前端部１２に到達する前に溝の形成されていない部分９を残して、途中まで形成されていることを特徴とするものである。これは、縦板２の前部、すなわち、組立式棚の正面から見たときに溝７が形成されていることが見えず、美観を保つためである。
【００１２】
切込４の幅は、縦板１に嵌合させるべく、その厚より若干大きな寸法とし、その奥行きは、縦板２の幅の２分の１とする。細長い凸状物８の幅及び高さは、横板１に設けた溝５に嵌合させるべく、その幅及び深さより若干小さい寸法とする。細長い凸状物７の長さは、その前後に空間を設ける。これは、加工を容易にし、かつ、嵌合を容易にするためである。なお、前部の空間については、横板の場合と相違して必須のものではない。細長い凸状物８の端部には、嵌合を容易にするために傾斜部１１が形成されている。縦板２前部には、丸みをおびた部分１２を形成する。
【００１３】
溝５と細長い凸状物８との嵌合、溝７と細長い凸状物６との嵌合により、切込３及び切込４のない部分に作用する荷重を受けて撓みの発生を防止し、組立式棚の全体形状にも歪みが発生し、必要な強度を維持できる。
【００１４】
前記図示したものには、細長い凸状物６、細長い凸状物８、溝５及び溝７は、それぞれ片側にしか形成れていない。これは、細長い凸状物６及び細長い凸状物８に作用する荷重の殆どを、その付け根部分に剪断力として応力が作用するためである。すなわち、曲げモーメントとして作用する応力と相違して、小さい断面積のものであっても応力に十分に耐えることができるためである。また、溝５及び溝７を両側に形成した場合には、横板１及び縦２の断面積が小さくなり、組立式棚が全体として、かえって強度の小さいものとなるためである。
【００１５】
これらの複数枚のそれぞれの横板１と縦板２とを図７に示すような状態で相互に挿入して嵌合して全体構造をした格子状の組立式棚の完成品とする。すなわち、図７に示すように、矢印の方向に横板１の切込３と縦板２の切込４とを直交状態で組み合わせて互いに入り込ませ、さらに、溝５と細長い凸状物８とを嵌合し、溝７と細長い凸状物６とを嵌合して押す込む。したがって、組み立てにおいて、何ら工具を必要としない。
【００１６】
細長い凸状物６及び細長い凸状物８のそれぞれは、傾斜部１０及び傾斜部１１が設けたものとすると共に、その長さをその前後に空間を設けるものとしたので、組み立てが進行して複数箇所を同時に嵌合をしなければならないような状態においても、組立作業が容易となる。
【００１７】
分解を頻繁にしない場合には、溝と細長い凸状物との間に接着剤を塗布しておくと結合状態が強固となり、剛性のある組立式棚を得ることができる。
【００１８】
切込、細長い凸状物及び溝を斜めのものとすれば、斜交した縦板及び横板を組み立てることもできる。
【図面の簡単な説明】
【００１９】
【図１】本考案の組立式棚を構成する横板の平面図である。
【図２】横板の上面図である。
【図３】横板の側面図である。
【図４】本考案の組立式棚を構成する縦板の平面図である。
【図５】縦板の下面図である。
【図６】縦板の側面図である。
【図７】本考案の横板及び縦板相互の挿入嵌合状態を示す図である。
【図８】格子状の組立式棚の完成品の外観図である。
【図９】従来例の横板及び縦板相互の挿入嵌合状態を示す図である。
【符号の説明】
【００２０】
１    本考案の横板
２    本考案の縦板
３    本考案の横板の切込
４    本考案の縦板の切込
５    横板の溝
６    横板の細長い凸状物
７    縦板の溝
８    縦板の細長い凸状物
９    溝の形成されていない部分
１０  横板の細長い凸状物に設けられた傾斜部
１１  縦板の細長い凸状物に設けられた傾斜部
１２  縦板前部の丸みをおびた部分
１３  横板前部の丸みをおびた部分
【図１】
0003107279.tif 000003
【図２】
0003107279.tif 000004
【図３】
0003107279.tif 000005
【図４】
0003107279.tif 000006
【図５】
0003107279.tif 000007
【図６】
0003107279.tif 000008
【図７】
0003107279.tif 000009
【図８】
0003107279.tif 000010
【図９】
0003107279.tif 000011